(57)【要約】【課題】ユーザーが容易に文字を入力可能な装置を提供すること。【解決手段】ＤＡＰ１は、タッチパネル５１と、表示部４と、ＳｏＣ２と、を備える。ＳｏＣ２は、タッチパネル５１により、文字ボタンによる文字の選択を受け付けた場合、文字入力欄に選択を受け付けた文字を表示する。また、ＳｏＣ２は、タッチパネル５１により、切替ボタンによる大文字への切替を受け付けた場合、文字ボタンに表示される文字（例えば、「ａｂｃ」）を、大文字（例えば、「ＡＢＣ」）に切り替える。【選択図】図７
2019066938.tif 000002
【特許請求の範囲】
【請求項１】
タッチパネルと、
表示部と、
制御部と、を備え、
前記制御部は、
文字の選択を受け付け、且つ、複数の文字の切り替えを受け付けるための文字ボタンと、
文字ボタンに表示される文字の、大文字への切り替えを受け付けるための切替ボタンと、
文字入力欄と、を前記表示部に表示し、
前記タッチパネルにより、文字ボタンによる文字の選択を受け付けた場合、文字入力欄に選択を受け付けた文字を表示し、
前記タッチパネルにより、切替ボタンによる大文字への切替を受け付けた場合、文字ボタンに表示される文字を、大文字に切り替えることを特徴とする入力装置。
【請求項２】
前記制御部は、
複数の文字ボタンを前記表示部に表示し、
複数の文字ボタンに大文字を表示しており、且つ、前記タッチパネルにより、いずれかの文字ボタンによる文字の選択を受け付けた場合、選択を受け付けた文字ボタンの最初の文字を文字入力欄に表示することを特徴とする請求項１に記載の入力装置。
【請求項３】
前記制御部は、
複数の文字ボタンに大文字を表示しており、且つ、前記タッチパネルにより、いずれかの文字ボタンによる文字の選択を受け付けた場合、選択を受け付けた文字ボタン以外の文字ボタンの文字を小文字に変更することを特徴とする請求項２に記載の入力装置。
【請求項４】
前記制御部は、
複数の文字ボタンに大文字を表示しており、且つ、前記タッチパネルにより、いずれかの文字ボタンによる文字の選択を受け付けた後、再度その文字ボタンの選択を受け付けた場合、次の文字を文字入力欄に表示することを特徴とする請求項２又は３に記載の入力装置。
【請求項５】
前記制御部は、
選択を受け付けた文字ボタン以外の文字ボタンの文字を小文字に変更した後、前記タッチパネルにより、小文字に変更した文字ボタンの選択を受け付けた場合、選択を受け付けた文字ボタンの最初の文字を文字入力欄に表示し、文字表示欄に表示していた大文字をその文字に確定することを特徴とする請求項３又は４に記載の入力装置。
【請求項６】
前記制御部は、
選択を受け付けた文字ボタン以外の文字ボタンの文字を小文字に変更した後、前記タッチパネルにより、小文字に変更した文字ボタンの選択を受け付けた場合、大文字を表示している文字ボタンを小文字に変更することを特徴とする請求億３又は４に記載の入力装置。
【請求項７】
前記制御部は、
前記タッチパネルにより、切替ボタンによる大文字への切替を受け付けた場合、切替ボタンに表示される文字を、所定の大文字に切り替えることを特徴とする請求項１〜６のいずれか１項に記載の入力装置。
【請求項８】
前記制御部は、
少なくともいずれか１つの文字ボタンに大文字を表示している場合、切替ボタンに所定の大文字を表示し、
全ての文字ボタンに小文字を表示している場合、切替ボタンに所定の小文字を表示することを表示する請求項７に記載の入力装置。
【請求項９】
タッチパネルと、
表示部と、
制御部と、を備える入力装置の制御プログラムであって、
前記制御部に、
文字の選択を受け付け、且つ、複数の文字の切り替えを受け付けるための文字ボタンと、
文字ボタンに表示される文字の、大文字への切り替えを受け付けるための切替ボタンと、
文字入力欄と、の前記表示部への表示、
前記タッチパネルにより、文字ボタンによる文字の選択を受け付けた場合、文字入力欄に選択を受け付けた文字の表示、
前記タッチパネルにより、切替ボタンによる大文字への切替を受け付けた場合、文字ボタンに表示される文字の、大文字への切り替え、を実行させるための入力装置の制御プログラム。
【発明の詳細な説明】
【技術分野】
【０００１】
本発明は、文字等を入力するための入力装置、及び、入力装置の制御プログラムに関する。
【背景技術】
【０００２】
文字等を入力するための入力装置において、小型のタッチパネルを備えているものがある（例えば、特許文献１参照。）。このような装置で、タップのみで操作する文字入力画面において、アルファベットの大文字・小文字を切り替える場合、従来、ユーザーは、文字を入力してから、大小切り替えボタンで大文字・小文字を変更している。図１０は、従来の文字入力画面を示す図である。ユーザーは、文字「Ａ」を入力したい場合、図１１に示すように、まず、「ａｂｃ」ボタンを選択し、「ａ」を入力する。次に、ユーザーは、大小切り替えボタン（Ａ／ａ）を選択すると、図１２に示すように、小文字「ａ」が大文字「Ａ」に切り替わる。ユーザーは、大文字「Ａ」で確定する場合、「ａｂｃ」ボタン以外の文字ボタン（例えば、「ｊｋｌ」ボタン）を選択する。又は、ユーザーは、左右ボタンにより入力位置を移動させるか、「Ａ」入力後、一定時間、経過させる（待機する）。
【先行技術文献】
【特許文献】
【０００３】
【特許文献１】特開２０１２−０８３８３８号公報
【発明の概要】
【発明が解決しようとする課題】
【０００４】
しかしながら、従来のパーソナルコンピュータ向けのキーボードによる文字入力は、Ｓｈｉｆｔボタンを押しながら文字を入力することで、大文字に切り替えるのが普通であり、近年、スマートフォンの普及により、Ｓｈｉｆｔボタンに相当するボタンをタップ（選択）して大文字に切り替えてから、文字を選択することが一般的になっている。そのため、ボタンの選択順序が、文字の選択、大小切り替えの選択と逆になっており、ユーザーが文字を入力しづらいという問題がある。
【０００５】
本発明の目的は、ユーザーが容易に文字を入力可能な装置を提供することである。
【課題を解決するための手段】
【０００６】
第１の発明の入力装置は、タッチパネルと、表示部と、制御部と、を備え、前記制御部は、文字の選択を受け付け、且つ、複数の文字の切り替えを受け付けるための文字ボタンと、文字ボタンに表示される文字の、大文字への切り替えを受け付けるための切替ボタンと、文字入力欄と、を前記表示部に表示し、前記タッチパネルにより、文字ボタンによる文字の選択を受け付けた場合、文字入力欄に選択を受け付けた文字を表示し、前記タッチパネルにより、切替ボタンによる大文字への切替を受け付けた場合、文字ボタンに表示される文字を、大文字に切り替えることを特徴とする。
【０００７】
本発明では、制御部は、タッチパネルにより、切替ボタンによる大文字への切替を受け付けた場合、文字ボタンに表示される文字を、大文字に切り替える。これにより、ユーザーは、大文字が表示された文字ボタンにより文字を選択することができるため、スマートフォンの操作と同じ流れで文字を入力することができる。従って、本発明によれば、スマートフォンの操作に慣れたユーザーは、違和感なく、容易に文字を入力することができる。
【０００８】
第２の発明の入力装置は、第１の発明の入力装置において、前記制御部は、複数の文字ボタンを前記表示部に表示し、複数の文字ボタンに大文字を表示しており、且つ、前記タッチパネルにより、いずれかの文字ボタンによる文字の選択を受け付けた場合、選択を受け付けた文字ボタンの最初の文字を文字入力欄に表示することを特徴とする。
【０００９】
第３の発明の入力装置は、第２の発明の入力装置において、前記制御部は、複数の文字ボタンに大文字を表示しており、且つ、前記タッチパネルにより、いずれかの文字ボタンによる文字の選択を受け付けた場合、選択を受け付けた文字ボタン以外の文字ボタンの文字を小文字に変更することを特徴とする。
【００１０】
第４の発明の入力装置は、第２又は第３の発明の入力装置において、前記制御部は、複数の文字ボタンに大文字を表示しており、且つ、前記タッチパネルにより、いずれかの文字ボタンによる文字の選択を受け付けた後、再度その文字ボタンの選択を受け付けた場合、次の文字を文字入力欄に表示することを特徴とする。
【００１１】
第５の発明の入力装置は、第３又は第４の発明の入力装置において、前記制御部は、選択を受け付けた文字ボタン以外の文字ボタンの文字を小文字に変更した後、前記タッチパネルにより、小文字に変更した文字ボタンの選択を受け付けた場合、選択を受け付けた文字ボタンの最初の文字を文字入力欄に表示し、文字表示欄に表示していた大文字をその文字に確定することを特徴とする。
【００１２】
第６の発明の入力装置は、第３又は第４の発明の入力装置において、前記制御部は、選択を受け付けた文字ボタン以外の文字ボタンの文字を小文字に変更した後、前記タッチパネルにより、小文字に変更した文字ボタンの選択を受け付けた場合、大文字を表示している文字ボタンを小文字に変更することを特徴とする。
【００１３】
第７の発明の入力装置は、第１〜第６のいずれかの発明の入力装置において、前記制御部は、前記タッチパネルにより、切替ボタンによる大文字への切替を受け付けた場合、切替ボタンに表示される文字を、所定の大文字に切り替えることを特徴とする。
【００１４】
第８の発明の入力装置は、第７の発明の入力装置において、前記制御部は、少なくともいずれか１つの文字ボタンに大文字を表示している場合、切替ボタンに所定の大文字を表示し、全ての文字ボタンに小文字を表示している場合、切替ボタンに所定の小文字を表示することを表示する。
【００１５】
第９の発明の入力装置の制御プログラムは、タッチパネルと、表示部と、制御部と、を備える入力装置の制御プログラムであって、前記制御部に、文字の選択を受け付け、且つ、複数の文字の切り替えを受け付けるための文字ボタンと、文字ボタンに表示される文字の、大文字への切り替えを受け付けるための切替ボタンと、文字入力欄と、の前記表示部への表示、前記タッチパネルにより、文字ボタンによる文字の選択を受け付けた場合、文字入力欄に選択を受け付けた文字の表示、前記タッチパネルにより、切替ボタンによる大文字への切替を受け付けた場合、文字ボタンに表示される文字の、大文字への切り替え、を実行させる。
【発明の効果】
【００１６】
本発明によれば、ユーザーは、容易に文字を入力することができる。
【図面の簡単な説明】
【００１７】
【図１】本発明の実施形態に係るデジタルオーディオプレーヤーの構成を示すブロック図である。
【図２】文字入力画面を示す図である。
【図３】文字入力画面を示す図である。
【図４】文字入力画面を示す図である。
【図５】文字入力画面を示す図である。
【図６】文字入力画面を示す図である。
【図７】文字入力画面を示す図である。
【図８】文字入力画面を示す図である。
【図９】文字入力画面を示す図である。
【図１０】従来の文字入力画面を示す図である。
【図１１】従来の文字入力画面を示す図である。
【図１２】従来の文字入力画面を示す図である。
【発明を実施するための形態】
【００１８】
以下、本発明の実施形態について説明する。図１は、本発明の実施形態に係るデジタルオーディオプレーヤーの構成を示すブロック図である。デジタルオーディオプレーヤー（以下、「ＤＡＰ」という。）１は、ヘッドホン１０１にアナログオーディオデータを出力する。ヘッドホン１０１は、アナログオーディオデータに基づいて、音声を外部に出力する。
【００１９】
図１に示すように、ＤＡＰ１（入力装置）は、ＳｏＣ（System on Chip）２、記憶部３、表示部４、操作部５、Ｄ／Ａコンバーター（以下、「ＤＡＣ」という。）６、増幅器７、無線モジュール８、ＵＳＢインターフェース（以下、「ＵＳＢ  Ｉ／Ｆ」という。）９を備える。
【００２０】
ＳｏＣ２（制御部）は、ＣＰＵ（Central Processing Unit）、ＤＳＰ（Digital Signal Processor）、メモリ等を有し、ＤＡＰ１を構成する各部を制御する。記憶部３は、ＯＳプログラム、アプリケーションプログラム等のプログラム、デジタルオーディオデータ（コンテンツ）等の各種データを記憶するフラッシュメモリから構成されている。なお、記憶部３は、例示する構成に限られず、ＨＤＤ（Hard Disk Drive）等であってもよい。
【００２１】
表示部４は、種々の画像（静止画像、動画像を含む）を表示するものであり、液晶パネルにより構成されている。操作部５は、各種設定を行うための操作キー、及び、表示部４と連動したタッチパネル５１を備えている。タッチパネル５１は、表示部４上に設けられている。タッチパネル５１は、タッチ動作、及び、スライド動作等を受け付けるためのものである。ユーザーは、操作部５を介して、各種の文字入力、設定などを行うことが可能である。
【００２２】
ＳｏＣ２は、Ｉ２Ｓ形式のデジタルオーディオデータをＤＡＣ６に出力する。ＤＡＣ６は、デジタルオーディオデータをアナログオーディオデータにＤ／Ａ変換する。増幅器７には、ＤＡＣ６からのアナログオーディオデータが入力される。増幅器７は、ＤＡＣ６がＤ／Ａ変換したアナログオーディオデータを増幅し、ヘッドホン１０１に出力する。
【００２３】
無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００２４】
図２は、ＤＡＰ１における文字入力画面を示す図である。ＳｏＣ２は、文字入力画面を表示部４に表示する。図２に示すように、文字入力画面には、複数の文字ボタン、切替ボタン、文字入力欄（図２における空白部分）等が含まれる。文字ボタンは、文字の選択を受け付け、且つ、複数の文字の切替を受け付けるためのボタンである。文字ボタンは、「ａｂｃ」ボタン、「ｄｅｆ」ボタン等である。ここでは、２６のアルファベットが、８個の文字ボタンに割り振られている。例えば、図２に示す状態において、ＳｏＣ２は、タッチパネル５１により、「ａｂｃ」ボタンによる文字の選択（タップ）を受け付けた場合、図３に示すように、選択を受け付けた「ａｂｃ」ボタンの最初の文字「ａ」を文字入力欄に表示する。次に、ＳｏＣ２は、図３に示す状態において、タッチパネル５１により、再度「ａｂｃ」ボタンの選択を受け付けた場合、図４に示すように、「ａ」の次の文字「ｂ」を文字入力欄に表示する。ＳｏＣ２は、タッチパネル５１により、「ａｂｃ」ボタンによる文字の選択を受け付け、文字入力欄に表示する文字を、「ａ」→「ｂ」→「ｃ」→「ａ」．．．と順に切り替える。
【００２５】
一方で、ＳｏＣ２は、図３に示す状態において、タッチパネル５１により、「ｄｅｆ」ボタンによる文字の選択を受け付けた場合、図５に示すように、選択を受け付けた「ｄｅｆ」ボタンの最初の文字「ｄ」を表示し、文字入力欄に表示していた「ａ」をその文字に確定する。なお、ＳｏＣ２は、文字「ａ」を文字入力欄に表示した後、左右ボタンの操作を受け付けた場合、又は、一定時間、何らの操作を受け付けなかった場合も、「ａ」に確定する。以下においても同様である。
【００２６】
切替ボタン（図２において、「ａ」と表示されているボタン）は、文字ボタンに表示される文字の、大文字への切り替えを受け付けるためのボタンである。ＳｏＣ２は、図２に示す状態において、タッチパネル５１により、切替ボタンによる大文字への切替を受け付けた場合、図６に示すように、文字ボタンに表示される文字を、大文字に切り替える。例えば、「ａｂｃ」ボタンは、「ＡＢＣ」ボタンに変更される。また、ＳｏＣ２は、切替ボタンに表示される「ａ」を、大文字「Ａ」に切り替える。
【００２７】
ＳｏＣ２は、タッチパネル５１により、「ＡＢＣ」ボタンによる文字の選択を受け付けた場合、図７に示すように、選択を受け付けた「ＡＢＣ」ボタンの最初の文字「Ａ」を文字入力欄に表示する。このとき、ＳｏＣ２は、選択を受け付けた「ＡＢＣ」ボタン以外の文字ボタンの文字（例えば、「ＤＥＦ」）を小文字（例えば、「ｄｅｆ」）に変更する。また、ＳｏＣ２は、複数の文字ボタンに大文字を表示しており、且つ、タッチパネル５１により、「ＡＢＣ」ボタンによる文字「Ａ」の選択を受け付けた後、再度「ＡＢＣ」ボタンの選択を受け付けた場合、図８に示すように、「Ａ」の次の文字「Ｂ」を文字入力欄に表示する。
【００２８】
ＳｏＣ２は、選択を受け付けた「ＡＢＣ」ボタン以外の文字ボタンの文字（例えば、「ＤＥＦ」）を小文字に変更した後、タッチパネル５１により、小文字に変更した「ｄｅｆ」ボタンの選択を受け付けた場合、図９に示すように、選択を受け付けた「ｄｅｆ」ボタンの最初の文字「ｄ」を文字入力欄に表示し、文字表示欄に表示していた大文字「Ａ」をその文字に確定する。また、ＳｏＣ２は、選択を受け付けた「ＡＢＣ」ボタン以外の文字ボタンの文字を小文字に変更した後、タッチパネル５１により、小文字に変更した文字ボタンの選択を受け付けた場合、大文字を表示している「ＡＢＣ」ボタンを小文字「ａｂｃ」に変更する
【００２９】
ＳｏＣ２は、全ての文字ボタンに小文字を表示している場合（図２〜図５、図９）、切替ボタンに小文字「ａ」を表示する。また、ＳｏＣ２は、少なくともいずれか１つの文字ボタンに大文字を表示している場合（図６〜図８）、切替ボタンに大文字「Ａ」を表示する。
【００３０】
以上説明したように、本実施形態では、ＳｏＣ２は、タッチパネル５１により、切替ボタンによる大文字への切替を受け付けた場合、文字ボタンに表示される文字（例えば、「ａｂｃ」）を、大文字（例えば、「ＡＢＣ」）に切り替える。これにより、ユーザーは、大文字が表示された文字ボタンにより文字を選択することができるため、スマートフォンの操作と同じ流れで文字を入力することができる。従って、本実施形態によれば、スマートフォンの操作に慣れたユーザーは、違和感なく、容易に文字を入力することができる
【００３１】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００３２】
上述の実施形態においては、入力装置として機能する装置として、ＤＡＰを例示した。これに限らず、ＤＡＰ以外のスマートフォン、タブレットＰＣ等であってもよい。
【産業上の利用可能性】
【００３３】
本発明は、文字等を入力するための入力装置、及び、入力装置の制御プログラムに好適に採用され得る。
【符号の説明】
【００３４】
１  ＤＡＰ（入力装置）
２  ＳｏＣ（制御部）
４  表示部
５  操作部
５１  タッチパネル
【図１】
2019066938.tif 000003
【図２】
2019066938.tif 000004
【図３】
2019066938.tif 000005
【図４】
2019066938.tif 000006
【図５】
2019066938.tif 000007
【図６】
2019066938.tif 000008
【図７】
2019066938.tif 000009
【図８】
2019066938.tif 000010
【図９】
2019066938.tif 000011
【図１０】
2019066938.tif 000012
【図１１】
2019066938.tif 000013
【図１２】
2019066938.tif 000014